(57)【要約】  本発明による菓子製品のためのマルチピースピースディスペンサ(10)は、ハウジング(14)を有する。ハウジング(14)は、菓子製品のマルチピースパッケージ(12)を格納するための内側チャンバ(16)を構成する。ハウジング(14)はまた、菓子製品を引出すために、マルチピースパッケージ(12)の端部分(22)を受入れるスロット部(20)を含む。マルチピースピースディスペンサ(10)は、更に、保持部材(30)を有し、保持部材(30)は、更なる引出しのために、マルチピースパッケージ(12)の端部分(22)をスロット部(20)内に保持する。
2013522138.tif 000002
【特許請求の範囲】
【請求項１】
菓子製品のためのマルチピースディスペンサであって、
ハウジングと、保持部材と、を有し、
前記ハウジングは、菓子製品のマルチピースパッケージを格納するための内側チャンバを構成し、菓子製品を取出すために前記マルチピースパッケージの端部分を受入れるためのスロット部を含み、
前記保持部材は、更なる引出しのために前記マルチピースパッケージの端部分を前記スロット部内に保持するように前記ハウジング内に配置される、マルチピースディスペンサ。
【請求項２】
前記ハウジング及び前記スロット部は一体的に形成される、請求項１に記載のマルチピースディスペンサ。
【請求項３】
前記スロット部は、前記マルチピースパッケージの端部分を前記スロット部内に挿入するためのアクセス部分を構成する開口部を有する、請求項１又は２に記載のマルチピースディスペンサ。
【請求項４】
前記スロット部は非スレッド式である、請求項１〜３のいずれか１項に記載のマルチピースディスペンサ。
【請求項５】
前記ハウジングは、更に、複数の壁部材によって構成される、請求項１に記載のマルチピースディスペンサ。
【請求項６】
少なくとも１つの壁又はその一部分が、前記内側チャンバへのアクセスのために取外し可能である、請求項５に記載のマルチピースディスペンサ。
【請求項７】
少なくとも１つの壁部材が、前記内側チャンバへのアクセスのために前記ハウジングにヒンジ部を用いて取付けられる、請求項５に記載のマルチピースディスペンサ。
【請求項８】
前記保持部材は、前記ハウジングの部分として一体的に形成される、請求項１に記載のマルチピースディスペンサ。
【請求項９】
前記保持部材は、前記マルチピースパッケージの一部分を保持するための少なくとも１つの保持タブを有する、請求項１又は請求項８に記載のマルチピースディスペンサ。
【請求項１０】
アクセスチャンネルを形成する第１の保持タブ及び第２の保持タブが、前記スロット部に連結される、請求項１又は８又は９に記載のマルチピースディスペンサ。
【請求項１１】
前記ハウジングは、更に、前記内側チャンバへのアクセスを可能にするように互いにヒンジ部を用いて結合された第１の部分及び第２の部分を有する、請求項１に記載のマルチピースディスペンサ。
【請求項１２】
前記ハウジングは、更に、前記第１の部分及び前記第２の部分にヒンジ部を用いて結合されたベース部分を有し、前記ベース部分は、静止し、前記第１の部分及び前記第２の部分は、前記ベース部分に対して移動し、それにより、前記内側チャンバへのアクセスを可能にする、請求項１１に記載のマルチピースディスペンサ。
【請求項１３】
前記第１の部分及び前記第２の部分は、前記スロット部を形成するように互いに結合される、請求項１２に記載のマルチピースディスペンサ。
【請求項１４】
菓子製品の前記マルチピースパッケージは、材料内に配置された複数のガムピースを含み、各ガムピースは、互いに固着された複数の個別パッケージを形成する引裂き線によって分離される、請求項１に記載のマルチピースディスペンサ。
【請求項１５】
更に、前記マルチピースパッケージを個分けピースに分離するために前記ハウジングに結合された引裂き部材を有する、請求項１に記載のマルチピースディスペンサ。
【請求項１６】
菓子製品のためのマルチピースディスペンサであって、
ハウジングと、保持部材と、を有し、
前記ハウジングは、菓子製品のマルチピースパッケージを格納するための内側チャンバを構成し、菓子製品を取出すために前記マルチピースパッケージの第１の端部分を受入れるためのスロット部を含み、
前記保持部材は、前記ハウジングの内側チャンバ内に配置された引張り装置アセンブリを有し、前記引張り装置アセンブリは、前記マルチピースパッケージの第２の端部分を前記内側チャンバ内に固定し、更なる引出しのために前記マルチピースパッケージの第１の端部分を前記スロット部内に保持する、マルチピースディスペンサ。
【請求項１７】
前記ハウジングは、互いに結合された第１の部分及び第２の部分を有する、請求項１６に記載のマルチピースディスペンサ。
【請求項１８】
前記スロット部は、前記ハウジングの前記第１の部分に一体的に形成される、請求項１６に記載のマルチピースディスペンサ。
【請求項１９】
前記引張り装置アセンブリは、更に、外側本体と、結合部材と、固着アセンブリとを有し、前記固着アセンブリは、前記マルチピースパッケージの第２の端部分を前記内側チャンバ内に固着し、更に別の引出しのために前記マルチピースパッケージの第１の端部分を前記スロット部内に保持する、請求項１６に記載のマルチピースディスペンサ。
【請求項２０】
前記引張り装置アセンブリの外側本体の底面は、それに対応する前記ハウジングの第１の部分の底面に係合し、前記引張り装置アセンブリの回転方向の付加的な摩擦を前記内側チャンバ内に付与する、請求項１６又は１９に記載のマルチピースディスペンサ。
【請求項２１】
前記マルチピースパッケージは、互いに連結された個別のブリスターパックのストリップから構成されたブリスターパッケージである、請求項１６に記載のマルチピースディスペンサ。
【請求項２２】
前記個別のブリスターパックは、引裂き線によって分離される、請求項２１に記載のマルチピースディスペンサ。
【請求項２３】
前記引裂き線はミシン目を有する、請求項２２に記載のマルチピースディスペンサ。
【請求項２４】
更に、前記マルチピースディスペンサのハウジングに取付けられた吊り部材を含む、請求項１６に記載のマルチピースディスペンサ。
【請求項２５】
前記保持部材は、更に、パッケージを前記スロット部の中に案内する案内部材を含む、請求項１６に記載のマルチピースディスペンサ。
【請求項２６】
菓子製品のマルチピースパッケージを製造する方法であって、
所定の幅及び長さを有するフィルム材料ピースを準備する工程を有し、前記フィルム材料ピースは、それを第１の半部と第２の半部に区分けする中心軸線を有し、
更に、複数のガムピースを前記フィルム材料ピースの中心軸線に隣接して第１の半部の上に位置決めし、各ガムピースを、前記フィルム材料ピースの長さ方向に沿って所定の距離だけ分離させる工程と、
前記フィルム材料ピースの第２の半部を前記中心軸線のところで折畳み、前記フィルム材料ピースの第２の半部を第１の半部の上に配置して、複数のガムピースを覆う工程と、
前記フィルム材料ピースをその長さ及び幅にわたって且つ前記ガムピースの各々の間でシールし、前記ガムピースの各々を前記フィルム材料ピースの中にシールして、マルチピース菓子パッケージを形成する工程と、を有する方法。
【発明の詳細な説明】
【技術分野】
【０００１】
本出願は、２０１０年３月２２日出願の米国仮特許出願第６１／３１６，０５２号及び２０１０年１２月１７日出願の米国仮特許出願第６１／４２４，３９１号に対する優先権を主張し、各仮特許出願の内容を本明細書に援用する。
【０００２】
本発明の開示は、菓子製品のような消費製品と共に使用するためのディスペンサに関する。より具体的には、本発明の開示は、菓子製品、特にチューインガムのマルチピースパッケージと共に使用するためのディスペンサに関する。
【背景技術】
【０００３】
消費製品、特に、例えばチューインガム等の菓子製品のためのパッケージは、消費者の要求及び願望に応じて寸法、形状、及び容器も変動する。更に、製品のマーケティングは、製品の全体のデザイン及び外観に大きな影響を与える。菓子製品、すなわち、チューインガムの楽しみが個人的な体験であるにしても、それは、多くの場合、例えば、一ピースのガム又はキャンディを他の人に与えるなどによって他の人と共有される。
【発明の概要】
【発明が解決しようとする課題】
【０００４】
チューインガムは、多くの場合、限定された個数を有する個別のパッケージで個人によって担持される。個々のパッケージは、輸送及び保存するためには有利であるが、限定された各ピースの数及び個々のパッケージは、何人かの個人が存在する空間において共有するのを困難にする。従って、各個人が、楽しみのためにチューインガム又は他の菓子の各ピースを得て他の人と共有されるのがよい機能を可能にするディスペンサを有することが望ましいであろう。更に、消費者は、状況に応じて様々な機会の必要性を満たすことができる彼らのパッケージの柔軟性を望んでいる。
【０００５】
変形例として、チューインガムを販売する多くの小売箇所において、多くの場合、消費者は、パック全体を購入するのではなく、単一又は選択された数の菓子ピースを購入する能力を有することが望ましい。更に、多くの小売箇所は、空間に制限があり、大量の菓子を保存する機能がない。従って、消費者が必要とする量に応じて選択数の菓子ピースを簡単に消費者に売る機能を有することが望ましいと考えられる。
【０００６】
何人かの個人の間の共有又は異なる消費者が購入されるのがよい個分けピースの提供を考慮するディスペンサを有することが望ましいにしても、ガムピースが外側の環境ファクタから保護されることを保証することが重要である。従って、菓子の品質及び香味を保存するようにシールされた個分けピースを有し、同時に外側環境からそれを保護することが望ましい。
【０００７】
より持続可能なディスペンサを提供するために、消費製品の包装及び引出しのための代替例を考慮することが更に望ましい。外側容器又はディスペンサを詰替える機能は、小売箇所又は個々の消費者のいずれかが製品の消費に付随するごみの量を最小にすることを可能にする。更に、より高価な外側容器を購入する必要がある代わりに、単に詰替え品の購入に付随する費用は、更に利益がある。
【課題を解決するための手段】
【０００８】
菓子製品のためのマルチピースディスペンサは、菓子製品のマルチピースパッケージを格納するための内側チャンバを構成するハウジングを含む。ハウジングは、菓子製品を引出すためにマルチピースパッケージの端部分を受入れるスロット部を更に含む。更なる引出しのために、スロット部内にパッケージの端部分を保持するための保持部材が更に設けられる。更に、保持部材が、ディスペンサの内側チャンバ内に位置決めされるのがよい。マルチピースパッケージをスロット部内に受入れるために、ハウジングは、スロット部が非スレッド式であるように構成される。
【０００９】
本発明の開示は、菓子製品のマルチピースパッケージを格納するための内側チャンバを構成するハウジングを含む菓子製品のためのマルチピースディスペンサを更に含む。ハウジングは、菓子製品を引出すためにマルチピースパッケージの一方の端部分を受入れるスロット部を含む。ディスペンサは、保持部材を更に含む。保持部材は、ハウジングの内側チャンバに配置された引張り装置アセンブリを更に含み、引張り装置アセンブリは、マルチピースパッケージの他方の端部分を内側チャンバ内に固着させ、更なる引出しのためにマルチピースパッケージの他方の端部分をスロット部内に保持する。
【００１０】
更に、本発明の開示は、複数のガムピースを収容するマルチピースパッケージを更に含み、それにより、ガムピースは、材料内に包囲され、３つの辺に沿ってシールされる。変形例として、ガムピースは、連続コイル又はストリップを形成するために互いに相互連結されたブリスター型パッケージ内に個々にシールされてもよい。マルチピースパッケージは、独特の引出しと、菓子製品の引出しのための外側ハウジング内への一体化とを考慮するものである。
【００１１】
添付の図面を参照して、本発明を例示として以下に説明する。
【図面の簡単な説明】
【００１２】
【図１】本発明の１つの実施形態によるマルチピースパッケージを含むディスペンサの斜視図である。
【図２】図１に示すディスペンサ及びマルチピースパッケージの変形例の図である。
【図３】図１に示すディスペンサ及びマルチピースパッケージの側面断面図である。
【図４】別の実施形態によるディスペンサ及びマルチピースパッケージの側面断面図である。
【図５】別の実施形態によるディスペンサ及びマルチピースパッケージの部分斜視図である。
【図６】別の実施形態によるディスペンサの斜視図である。
【図７】本発明の別の実施形態によるディスペンサの斜視図である。
【図８】ヒンジ部を用いて後壁部分が取付けられたディスペンサの変形実施形態の背面斜視図である。
【図９】ディスペンサの変形実施形態の側面断面図である。
【図１０】本発明の別の実施形態によるディスペンサの側面断面図である。
【図１１】本発明の別の実施形態によるディスペンサの側面断面図である。
【図１２】本発明の別の実施形態によるディスペンサの斜視図である。
【図１３】図１２に示すようなディスペンサの側面図である。
【図１４】開放位置における図１２に示すディスペンサの斜視図である。
【図１５】図１４に示すディスペンサの側面図である。
【図１６】本発明の別の実施形態によるディスペンサの斜視図である。
【図１７】本発明の別の実施形態によるディスペンサの斜視図である。
【図１８】本発明の別の実施形態によるディスペンサの斜視図である。
【図１９】本発明の実施形態によるマルチピースパッケージの斜視図である。
【図２０】本発明の別の実施形態によるマルチピースパッケージの斜視図である。
【図２１】本発明の別の実施形態によるディスペンサの側面斜視図である。
【図２２】図２１に示すディスペンサの正面斜視図である。
【図２３Ａ】ディスペンサの内部を示す本発明の実施形態によるディスペンサの一部分の斜視図である。
【図２３Ｂ】図２３Ａの部分と結合してディスペンサを構成するディスペンサの別の部分の斜視図である。
【図２４】ディスペンサの内部を示す本発明の別の実施形態によるディスペンサの一部分の斜視図である。
【図２５】本発明の実施形態によるマルチピースパッケージがディスペンサの中に挿入された図２４に示すディスペンサの正面斜視図である。
【図２６】ディスペンサの変形実施形態の断面図である。
【図２７】本発明の実施形態による引張り装置アセンブリの一部分の斜視図である。
【図２８Ａ】図２５に示す本発明の実施形態によるディスペンサに使用される結合部材の構成要素の斜視図である。
【図２８Ｂ】図２５に示す本発明の実施形態によるディスペンサに使用される結合部材の構成要素の斜視図である。
【図２９Ａ】本発明の実施形態によるディスペンサ及びマルチピースパッケージの斜視図である。
【図２９Ｂ】本発明の実施形態によるディスペンサ及びマルチピースパッケージの斜視図である。
【図３０】本発明の別の実施形態によるマルチユニットディスペンサの斜視図である。
【発明を実施するための形態】
【００１３】
本明細書は、消費製品のためのマルチピースディスペンサを提供し、かかる消費製品は、例えば、菓子製品である。第１の態様では、マルチピースディスペンサは、チューインガムを引出すために使用されるのがよい。本明細書は、ディスペンサ及びマルチピースパッケージ、並びにマルチピースパッケージを製造する方法の変形実施形態を更に提供する。
【００１４】
本発明の１つの側面に従ったディスペンサ１０は、チューインガムＧ等の菓子製品のマルチピースパッケージ１２を収容するハウジング１４を含む。本明細書の用語「マルチピースパッケージ」は、複数の個分けガムピースを有するストリップ状構造を意味するのに使用され、個分けガムピースの各々は、材料（例えば、フィルム、ブリスターパッケージ）内にシールされ且つ互いに結合され、ストリップ状構造（すなわち、弾帯）を形成する。マルチピースパッケージは、所定の幅及び長さを有するのがよい。個分けピースは、引裂き線によって分けることができ、その結果、力を加えると、個分けピースを互いに分離することができる。マルチピースパッケージは、後でより詳細に説明するように、ロール状形態又はアコーディオン型形態をなすのがよい。変形形態も、使用される菓子のタイプに応じた包装及び引出しために使用することができ、例えば、変形形態及び寸法設定は、ディスペンサと共に使用するためにタブ、スティック、又はペレットのチューインガムが包装され且つ販売されるか否かに応じて使用されるのがよい。更に、マルチピースパッケージは、様々な個分けガムピースを様々なピース合計数で含んでよく、かかるピース合計数は、例えば、２５、３０、６０、９０、又はユーザが望む任意のピース数である。
【００１５】
変形例として、菓子ピースは、互いに対して様々な形態による向きに配置されてもよい。図示のように、菓子ピースは、長い側面／縁部が並ぶように配置されてもよい。別の実施形態では、菓子ピースは、短い側面／縁部が弾帯内の先端になる（すなわち、個分けピースは、端から端まで位置決めされる）ようにパッケージ内に構成されてもよい。
【００１６】
図及びそれと関連した開示は、菓子製品、特にチューインガムの包装及び引出しに関し、本発明は、限定するわけではないが、他の消費製品、ミント、キャンディ（硬い、噛む必要がある又は粘着性のキャンディを含む）、チョコレート及び／又は任意その他の菓子などを含む様々な菓子に関連していてもよい。更に、例えば、後で説明するように、ディスペンサの変形形態は、限定するわけではないが、ディスペンサとして使用するのに好ましい立方体形、矩形、三角形、豆形、円形、クラムシェル形、円錐形、又は任意その他の形状、又はそれらの組合せを含んで利用されてもよい。更に、ディスペンサの様々な組合せは、二重（２倍）又は三重ディスペンサをもたらすことができるように互いに結合されてもよい。従って、図は例示であり、本発明の開示の様々な態様を例示している。
【００１７】
１つの実施形態では、本発明のディスペンサは、詰替え可能ディスペンサであるように設計されるのがよい。これは、消費者がディスペンサの使用を最大にし、ディスペンサ全体の廃棄に付随するごみを増加させないことを可能にする。別の実施形態では、ディスペンサは、詰替え可能でなくてもよい。ディスペンサが詰替え可能でない場合には、消費者は、マルチピースパッケージの内容全体を使用したとき、ディスペンサを廃棄すると考えられる。
【００１８】
本発明の１つの側面によるディスペンサは、菓子製品のマルチピースパッケージを格納するための内側チャンバを構成するハウジングを有する。ハウジングは、図示のように、複数の壁部材を有するのがよい。１つの実施形態では、ハウジングを形成する壁部材は、１つの単一部品又は部分として互いに一体的に形成されるのがよい。変形例として、別の実施形態では、壁部材は、個別に製造され、次に、ヒンジ部を用いて互いに結合され、及び／又は、組立て時に互いに結合されてもよい（すなわち、蓋又はその他のタイプの形態のように）。変形例として、別の実施形態では、様々な製造及び組立て方法が、ハウジングを形成するために壁の組立に使用されるのがよい。従って、本発明の開示のハウジングは、ディスペンサの組立てに使用する材料に応じて変形例の方法で構成されるのがよい。更に、壁部材は、例えば、以下に限定されるものではないが、壁部材の強度を高め又は増大させ及び／又はその厚みを低減する要素（すなわち、リブ）を含む構造要素を更に含むことができる。
【００１９】
一般的に、ディスペンサは、例えば、当業者によって認められるようなプラスチック又はプラスチック状材料、成形パルプ、板紙、厚紙、任意その他の紙ベース組成物、金属又は金属合金、複合材、任意その他の変形例の好ましい材料、又はそれらの組合せを含む様々な材料で形成されるが、これに限定されない。プラスチック又はプラスチック状材料は、例えば、ポリプロピレン及び／又はポリエチレンを含む射出成形可能にされるのがよい材料から選択されるのがよいが、これに限定されない。
【００２０】
図１〜図５に示すように、１つの実施形態によれば、ディスペンサ１０は、ハウジング１４を有し、ハウジング１４は、ほぼ立方体形状であり、内側チャンバ１６を構成する複数の壁部材１８を有している。前に示唆したように、壁部材１８は、単一部品として一体的に形成されるのがよい。図１に示すように、ハウジング１４は、更に、単一部品として一体的に形成された上壁部材１８’、底壁部材（図示せず）及び側壁部材１８''を有している。加えて、組立時にハウジング１４全体を形成するために、壁部材１８''’が設けられている。壁部材１８''’は、別に製造された構成要素であるのがよく、例えば、（図１に示すような）端キャップである。別の実施形態では、少なくとも１つの壁部材１８''’は、他の壁部材１８’及び１８''と一体的に形成されてもよい。更に別の実施形態では、少なくとも１つの壁部材１８''’は、図２に示すように、１つの辺に沿うヒンジ部Ｈによってハウジング１４に取付けられるのがよく、それにより、内側チャンバ１６へのアクセス部が設けられる。別の実施形態では、ハウジング１４のデザインに応じて、変形例の壁部材がヒンジ部によって取付けられるのがよい。ヒンジ部によって取付けられた壁部材は、機械的ヒンジ部又はリビングヒンジ部の使用により結合され、プラスチック又は他の機械的タイプの構成要素の使用によるかのいずれかで成形されるのがよい。更に、別の実施形態（図示せず）では、ハウジング１４は、板紙を折畳むことによって、壁部材の全てが必要に応じて互いに一体的に連結され、折畳み可能な立方体状構成を達成するのがよい。その結果、折畳まれた板紙縁部は、ヒンジ状部材として作用する。１つの実施形態によれば、ハウジング１４のレイアウトは、板紙材料から打抜かれ、次に組立てられ、それによってディスペンサを形成する。
【００２１】
ディスペンサの組立て時、スロット部２０が、ハウジング１４によって構成され、それにより、マルチピースパッケージ１２の端部分２２が、消費者がアクセスするためにハウジング１４の外側に配置されることを可能にする。本明細書の用語「端部分」は、マルチピースパッケージが、例えば、ロール又はアコーディオン型形態のパッケージで構成されているときに消費者にアクセス可能のままであるマルチピースパッケージの端部を意味するのに使用される。スロット部２０の長さ（ｌ）は、マルチピースパッケージ１２の全体の幅（ｗ）を投影した形状によって定められ、その結果、パッケージがスロット部２０を通して容易に提供される。一般的に、スロット部２０は、連続的な消費者の使用ために、マルチピースパッケージ１２の端部分２２を受入れるように構成される。消費者が個分けピースをマルチピースパッケージ１２の端部分２２から取外すとき、マルチピースパッケージ１２は引張られ、マルチピースパッケージ１２の残り部分２４は、スロット部２０を通して前進させられる。マルチピースパッケージ１２の残り部分２４は、図２に見ることができるように、ハウジングの内側チャンバ１６の中に配置されたままである。スロット部２０の寸法及び形状は、変更されてもよいし、マルチピースパッケージ１２のデザインに応じて特別に寸法決めされてもよく、かかるデザインは、例えば、ガムの異なる形態、すなわち、スティック、タブ、ペレット、任意その他の変形形態、菓子ピースの構成（例えば、左右に又は端から端まで）、又は他のそれらの組合せに対して変更されてもよいし、具体的に寸法決めされてもよい。
【００２２】
スロット部２０は、マルチピースパッケージ１２をスロット部２０に挿入するためのアクセス部分２８を構成する開口部２６を更に有している。その結果、ディスペンサ及びそれに対応するマルチピースパッケージは、非スレッド式である。本明細書の用語「非スレッド式」は、マルチピースパッケージが、側面開口からスロット部の中に直接挿入され、その結果、マルチピースパッケージを内側チャンバからスロット部の全長（ｌ）にわたって挿入する必要がないことを意味する。結果として、マルチピースパッケージ１２の端部分２２は、連続使用ために、スロット部２０内に容易に位置決めされる。
【００２３】
連続的な引出し及び／又はアクセスのためにマルチピースパッケージをスロット部２０内に保持する保持部材３０が、ハウジング１４内に更に配置されるのがよい。１つの実施形態によれば、保持部材３０は、ハウジング１４内に一体的に形成される。更に、１つの実施形態では、保持部材３０は、マルチピースパッケージ１２の一部分を保持するための少なくとも１つの保持タブ３２を含む。別の実施形態では、保持部材３０は、マルチピースパッケージの一部分を保持するための２つの保持タブ３２を含む。１つの側面では、保持タブ３２は、スロット部２０の長さ（ｌ）に沿ってハウジングの内面に結合されるのがよい。１つの実施形態では、保持タブ３２は、スロット部２０の一部として一体的に形成されるのがよい。保持タブ３２は、マルチピースパッケージがスロット部内に保持され且つハウジング１４の内側チャンバ１６の中に戻らないように、スロット部及び／又はハウジングに対して所定の角度で設けられるのがよい。図３及び図４に更に示すように、スロット部２０と組合せられた保持タブ３２は、アクセスチャンネル３４を形成する。アクセスチャンネル３４は、保持タブ３２を傾斜させることによって更に構成され、それにより、ハウジングの外面にスロット部２０を構成する出口部分３８よりも狭い入口部分３６を形成する。狭い入口部分３６は、マルチピースパッケージがディスペンサの内側チャンバに再び入らないことを確保し、スロット部２０に対する適所に保持されることを確保する。保持タブ３２及びその互いに対する向きの変形実施形態が、マルチピースパッケージの寸法及びスロット部２０の全体寸法に応じて使用されるのがよい。更に、保持タブ３２は、マルチピースパッケージ１２を保持するように、様々な程度に角度をなし、個々に又は互いに組合せて使用されるのがよい。スロット部２０に対する保持部材３０、特に保持タブ３２の異なる向きは、図３及び図４に示すように、マルチピースパッケージ１２の構成（すなわち、ロールアセンブリ又はアコーディオンアセンブリ）に応じて使用されるのがよい。変形例として、保持タブ３２は、外側ディスペンサの一部として形成され、ディスペンサ内でマルチピースパッケージと適正に整列されるのがよい。保持タブ３２の寸法及び傾斜は、マルチピースパッケージに設けられた菓子のタイプ、寸法及び形状に応じて変更されるのがよい。後でより詳細に説明するように、少なくとも１つの保持タブは、相対的な「撓み」の量を提供する材料で作られるのがよく、それにより、パッケージによって圧力が付与されるとき、１つ又は２つ以上の保持タブが僅かに移動するのがよい。
【００２４】
ガムピースＧの引出し時、個分けガムピースは、残りのマルチピースパッケージ１２から分離され（すなわち、引裂さかれ）、その結果、消費者がガムピースを使用し、マルチピースパッケージ１２の残り部分は、ディスペンサ１０によって保持される。図５に示すように、変形実施形態では、引裂き部材４０が、ハウジング１４に結合されるように更に設けられ、引裂き部材４０は、少なくとも１つのガムピースＧを収容する個分け区画の各々の間に設けられた引裂き線に沿ってガムピースを分離するのを補助する。引裂き部材４０は、ハウジングと一体的に形成されるのがよい。引裂き部材４０は、ハウジング上に配置されるのがよく、ハウジング上に、例えば図５に示すように上壁部材１８’の上に配置されるのがよい。引裂き部材４０の変形例の位置及び相対位置は、ディスペンサのデザインに応じて更に定められるのがよい。引裂き部材４０は、ディスペンサ及びマルチピースパッケージ１２のデザインに応じて異なる寸法、形状、又は向きを有するように更に構成されるのがよい。図示していないが、引裂き部材４０は、考慮しているディスペンサの任意の実施形態の上に配置され得る。
【００２５】
前に示唆したように、ディスペンサの変形実施形態が使用されてもよい。従って、ディスペンサ１０の上述した構成要素は、個々に又はディスペンサの変形実施形態と共にそのいずれかで使用されるのがよい。前に示唆したように、タブ、スティック、ペレット、球体、又は変形例のガムピース形態に使用するために、アルミホイルで包まれたパッケージ又はブリスター型パッケージ等のマルチピースパッケージ１２の変形形態が使用されてもよい。
【００２６】
ディスペンサの変形実施形態は、互いに結合して内側チャンバを更に形成する複数の部分から構成されるハウジングを有していてもよい。１つの実施形態では、ディスペンサは、図６に示すように立方体又は立方体状ディスペンサ１１０を有し、このディスペンサ１１０は、内側チャンバ１１６を構成するハウジング１１４を形成するために、互いにヒンジ部Ｈで結合された２つの部分１１１、１１３を含んでいる。２つの部分１１１、１１３を閉鎖したとき、マルチピースパッケージの端部分を受入れるスロット部１２０が形成される。スロット部１２０は、非スレッド式である。更に、保持タブ１３２が、スロット部１２０の長さ（ｌ）に沿って配置されるのがよい。１つの実施形態では、保持タブ１３２の各々は、２つの部分１１１、１１３にそれぞれ一体的に形成されている。２つの部分１１１、１１３が接合されてディスペンサ１１０を形成するとき、保持部材１３０は、保持タブ１３２の組合せによって形成される。
【００２７】
本発明の変形実施形態は、図７〜図１１のディスペンサ２１０、３１０によって更に示すように、三角形又はピラミッド形、並びに他の形状／形態を有するディスペンサを含む。
【００２８】
三角形又はピラミッド形ディスペンサ２１０は、上述したマルチピースパッケージ１２と組合せて使用されてもよい。図７〜図１０に示す１つの実施形態によれば、ディスペンサ２１０は、菓子製品、すなわち、チューインガムのマルチピースパッケージを格納するための内側チャンバ２１６を構成するハウジング２１４を含んでいる。複数の壁部材２１８は、ハウジング２１４を形成するように組合せて使用されるのがよい。壁部材２１８は、１つの単一部品として一体的に形成されてもよいし、組立てられるように個別に製造されてもよい。例えば、図７に示すように、壁２１８は、個別の端キャップであってもよいし、ハウジング２１４を形成するためにヒンジ部を用いて結合されてもよい。変形例として、図８に示すように、後壁２１８''は、ハウジング２１４を形成するようにヒンジ部を用いて結合されてもよい。より具体的には、図９に示すように、ディスペンサ２１０は、ヒンジ部（Ｈ）を更に含み、壁部材２１８''は、ヒンジ部を用いて壁部材２１８に取付けられ又は結合されるのがよい。従って、壁部材２１８''は、線（Ｌ）に沿って壁部材２１８’から切離され（すなわち、分離し）、それにより、内側チャンバ２１６へのアクセスを可能にする。かかる形態の各々は、ディスペンサ内にパッケージ（図示せず）を設置するために消費者が容易に内側チャンバ２１６にアクセスすることを可能にする。
【００２９】
ディスペンサのデザインに応じて、異なる壁は、内側チャンバ２１６へのアクセスを可能にするように分離され又はヒンジ部を用いて結合されるのがよい。更に、菓子のマルチピースパッケージの端部分を受入れるスロット部２２０が設けられる。更に、引裂き部材２４０が、ハウジング２１４に結合されるようにして設けられる。図９及び図１０に詳細に見ることができるように、保持部材２３０の変形実施形態は、適所にマルチピースパッケージを保持するために設けられる。図９に示すように、保持部材２３０は、入口部分２３６及び出口部分２３８を有するアクセスチャンネル２３４を形成する個別の保持タブ２３２を含む。変形例として図１０に示すように、１つの保持タブ２３２は、アクセスチャンネル２３４を形成するために壁部材２１８''に関連させて設けられてもよい。１つの保持タブ２３２を使用することは、必要な付加的な構成要素を最小にし、ディスペンサ内でパッケージを更に維持するように壁部材の内部部分を使用する。上述したように、保持タブ２３２は、マルチピースパッケージが内側チャンバ２１６内に戻らないように、マルチピースパッケージをスロット部２２０に至るアクセスチャンネル２３４内に保持するように設計される。
【００３０】
ディスペンサのデザインに応じて、アクセスチャンネル２３４へのマルチピースパッケージの相対移動を容易にするように、保持タブ２３２は、少なくとも１つの僅かな湾曲を更に含むのがよい。図１０に更に示すように、保持タブ２３２は、菓子ピースのマルチピースパッケージが保持タブ２３２の端部で捕捉されないように、保持タブ２３２の端部の周囲でパッケージが容易に滑ることを可能にする湾曲部分２３３を更に含むのがよい。
【００３１】
ディスペンサ３１０の変形実施形態を図１１に示し、修正された円形又は涙の滴形の外側ディスペンサが提供される。ディスペンサ３１０は、少なくとも１つの外壁３１８と側壁（図示せず）とによって形成されたハウジング３１４を含む。少なくとも１つの側壁（図示せず）は、消費者による内側チャンバ３１６へのアクセスを可能にするように取外すことができる。上述したように、単一の保持タブ３３２は、保持部材３３０を形成するために、外壁３１８の内面と共に設けられる。保持タブ３３２は、ディスペンサ３１０内で及びスロット部３２０を通してパッケージ（図示せず）の移動を容易にする湾曲部分３３３を更に含む。付加的な案内部材３３４が、ハウジング３１４の内側チャンバ３１６内で一体にされるのがよい。案内部材３３４は、マルチピースパッケージが湾曲部分３３３内で保持部材３３２に捕捉されるのを防止するように設けられる。案内部材３３４は、異なる長さ、形状、又は形態で設計され、ディスペンサ内でのマルチピースパッケージの移動を容易にするのがよい。
【００３２】
ディスペンサの更に別の実施形態は、変形例のスロット部構成を更に含むことができる。このような変形例のスロット部構成は、消費者によりマルチピースパッケージへの付加的なアクセスを提供し、又はマルチピースパッケージから個分けピースを引裂くための変形例の方法を提供する。
【００３３】
本発明の別の実施形態は、マルチピース構成（例えば、豆形の構成のような）を有するディスペンサ５１０を含み、各ピースは、図１２〜図１５に更に示すように、互いにヒンジ部を用いて連結される。例示的に、豆形のディスペンサ５１０は、上述したマルチピースパッケージ１２を用いるのがよい。従って、ディスペンサ５１０は、菓子製品、すなわち、チューインガムのマルチピースパッケージを格納するための内側チャンバ５１６（図１４及び図１５に示すような）を構成するハウジング５１４を含む。複数の壁部材５１８は、ハウジング５１４を形成するために組合されて使用されるのがよい。壁部材５１８は、１つの単一部品として一体的に形成とれてもよいし、組立てられるように個別に製造されてもよい。特に、１つの実施形態では、ディスペンサ５１０は、横部分５１１、横部分５１３、及びベース部分５１５を更に含む。横部分５１１、５１３は、ヒンジ部（Ｈ）を用いてベース部分５１５に取付けられるのがよい。ベース部分５１５は、静止状態であるのに対して、横部分５１１、５１３は、図１４及び図１５に示すように、ベース部分５１５に対して移動し、それにより、内側チャンバへのアクセスを可能にする。菓子のマルチピースパッケージの端部分を受入れるスロット部５２０が更に設けられる。適所にマルチピースパッケージを保持する保持部材５３０が、図１２に部分的に示すように、スロット部５２０の中に設けられる。保持部材５３０は、図１４に更に示すように、保持タブ５３２を含む。図示していないが、豆形のディスペンサに関連した引裂き部材が更に設けられる。
【００３４】
別の実施形態では、図１６に示すように、ディスペンサ６１０は、立方体状形態をなす。ディスペンサ６１０は、内側チャンバ６１６を構成するハウジング６１４を含む。ハウジング６１４は、上部分６１１及び底部分６１３を更に含む。上部分６１１は、ヒンジ部を用いて底部分６１３に取付けられてもよいし、変形例として、取外し可能に結合された個別の部分であってもよい。上部分６１１は、マルチピースパッケージを受入れて保持するスロット部６２０を更に形成する。マルチピースパッケージの端部分にアクセスする消費者を更に補助する変形例の開口部が、ディスペンサ又はスロット部開口部（例えば、指を押して通すための）内に一体にされるのがよい。例えば、スロット部６２０は、マルチピースパッケージの端部分にアクセスする消費者を更に補助する接触開口部６４２を更に含む。マルチピースパッケージを保持するのを補助する少なくとも１つの保持タブ６３２が更に設けられる。保持タブ６３２は、完全に見ることはできないが、上部分６１１と一体的に形成されるのがよい。開口部６５０が、底部分６１３によって更に設けられる。開口部６５０は、マルチピースパッケージ上に設けられるデザイン表示のような表示目的のために使用されてもよいし、顧客に開口部６５０を通してマルチピースパッケージへのアクセスを可能にするように使用されてもよい。
【００３５】
図１７に示す別の実施形態では、ディスペンサ７１０は、クラムシェル形態をなす。ディスペンサ７１０は、内側チャンバ７１６を構成するハウジング７１４を含む。内側チャンバ７１６は、側面で開放し、消費者が、内側チャンバ７１６内に格納されたマルチピースパッケージを容易に見ることを可能にする。変形形態は、シールされたクラムシェルデザインを有していてもよい。ディスペンサ７１０は、互いにヒンジ部（Ｈ）を用いて取付けられた２つの部分７１１、７１３を更に含む。２つの部分７１１、７１３の組合せにより、マルチピースパッケージを受入れて保持するスロット部７２０を形成する。図示していないが、少なくとも１つの保持タブを含む保持部材が、スロット部７２０に関連して一体化して使用されるのがよい。
【００３６】
更なる変形実施形態では、ディスペンサ８１０は、円形又はリング形態をなす。１つの実施形態では、ディスペンサ８１０は、中心を中空にし、それにより、リング形態をなす。変形例として、ディスペンサは、図１８に示すように、側面部分を完全に形成し、そレ煮より、円形形態をなす。更に別の実施形態では、円形ディスペンサをなしてもよい。本発明の実施形態によれば、ディスペンサ８１０は、内側チャンバ（図示せず）を構成するハウジング８１４を含む。ハウジング８１４は、本体部分８１１及び側面部分８１３を更に含む。側面部分８１３は、ヒンジ部を用いて本体部分８１１に結合されてもよいし、変形例として、本体部分８１１に係合して結合する個別の部分であってもよい。本体部分８１１は、マルチピースパッケージを受入れて保持するスロット部８２０を更に形成する。側面部分８１３は、ハウジング８１４をシールし且つマルチピースパッケージをディスペンサ８１０内に固定するように設けられる。
【００３７】
上述したように、本発明は、マルチピースパッケージと共に使用するディスペンサに関する。更に、本明細書は、マルチピースパッケージ及び引出し用マルチピースパッケージを製造する方法に関する。全体として、マルチピースパッケージは、菓子製品、特に複数の個分けチューインガムピースを収容するストリップ状構造をなす。個分けガムピースは、個別にシールされ、弾帯とも呼ばれるマルチピースパッケージを形成するために互いに結合される。個分けピースを互いに分離する引裂き線Ｔが、図１９及び図２０に示すように設けられる。図１９から分かるように、マルチピースパッケージ１２は、例えば、ガムピースをシールするのに使用されるフィルムのような材料１３によって包囲された個分けガムピースＧを含む。変形例として、ガムピースは、ロール状弾帯（例えば、図２１〜図２２、図２５に示す）を形成するために互いに結合された個分けブリスターパッケージに内に包囲されるのがよい。個分けガムピースの各々は、引裂き線Ｔによって分離される。引裂き線Ｔは、その全長又はその一部分に沿って穿孔されるのがよい。変形例として、引裂きノッチＴ’が引裂き線に沿って設けられ、個分けピースを互いに分離する際、引裂き部材（すなわち、図５に示す引裂き部材４０）が更に役立つ。変形例として、引裂きノッチＴ’は、個分けガムピースを互いに分離するように引裂き線Ｔからオフセットされ、引裂きノッチが、パッケージを開放するようにパッケージ内に設けられてもよい。一般的に、引裂きノッチＴ’は、パッケージを開放するためにパッケージの様々な位置にわたって設けられる。変形例として、消費者は、図１９に示す穿孔引裂き線Ｔ、又は、図２０に示すラップされた個分けピースの端部に設けられた付加的な引裂きノッチＴ’のいずれかによって、個分けピースを容易に引裂いてバラバラにしてもよい。図１９及び図２０は、ガムピースの長さ方向に互いに結合された個分けガムピースを示すが、変形形態では、引裂き線が再位置決めされ、ガムピースの端部が他のガムピースの端部に合わせてパッケージ内に配置されてもよい。
【００３８】
ディスペンサの変形実施形態は、例えば、図２１〜図３０に示すように、ブリスター型マルチピースパッケージを有するディスペンサを更に含む。図にわたって見ることができるように、ディスペンサ１１１０は、マルチピースパッケージ１１１２を保持するように構成され、マルチピースパッケージ１１１２は、ペレット型ガム形態の個分けピースを個分けブリスターパッケージＰ内に包囲するように設計されている。マルチピースパッケージ１１１２内に設けられた個分けガムピースは、引裂き線Ｔによって分離されるのがよい。変形例として、個分けガムピースの各々は、機械で切って（すなわち、切断して）各ピースをバラバラにすることにより、消費者によって手で分離されるのがよい。本発明の実施形態によれば、ディスペンサ１１１０は、本体部分１１１１及び側面部分１１１３を有するハウジング１１１４を含む（変形例として、側面部分１１１３は、ディスペンサの向きに応じて上部分として考えることができ、本体部分は、底部分として考えることができる）。本体部分１１１１及び側面部分１１１３は、図２３〜図２５に部分的に示すように、例えば、内側チャンバ１１１６を形成するために互いに結合されるのがよい。本体部分１１１１及び側面部分１１１３は、例えば、当業者に既知のスナップ式構成、連結機構、フック及びループ機構、又は任意その他のタイプを含むあらゆるタイプの結合機構によって互いに結合されるのがよいが、これに限定されない。変形例として、側面部分１１１３は、ディスペンサの他の構成に関連して上述したように、ヒンジ部を用いて本体部分１１１１に接続されてもよい。
【００３９】
図２３Ａ及び図２３Ｂに具体的に示す実施形態によれば、本体部分１１１１は、外壁１１１８及び底面１１１９によって更に形成され、それにより、内側チャンバ１１１６が設けられる。構造を更に強化して剛性を増大させる付加的な支持部材１１２１が、本体部分１１１１に一体にされるのがよい。変形例の支持部材を、ディスペンサ１１１０のデザインに応じて設けてもよい。支持部材１１２１は、図２５に明瞭に示すように、内側チャンバ１１１６内でマルチピースパッケージ１１１２の形態を反映するように更に構成されてもよいし、マルチピースパッケージ１１１２の移動を容易にするのを補助するように更に構成されてもよい。
【００４０】
ディスペンサ１１１０は、ディスペンサが様々な場所又は位置に吊るされ又は適切な位置（消費者又は小売位置に有利であると考えられる壁、カウンタ、又は任意その他の位置のうちのいずれか）に固定されるように、吊り部材１１２３を更に含むのがよい。吊り部材１１２３は、ディスペンサのデザインに応じた変形形態を有していてもよい。更に、ディスペンサ１１１０は、当業者に既知のファスナ（例えば、ネジ／クギのような）、フック／ループ型機構、又は任意その他のタイプの結合又は固定機構のいずれかによって適切な位置に固定されるのがよい。
【００４１】
本発明の実施形態によれば、図２３Ａ及び図２３Ｂに示すように、例えば、本体部分１１１１及び側面部分１１１３は、ディスペンサ１１１０を形成するために互いに結合されるのがよい。前に示唆したように、側面部分１１１３及び本体部分１１１１は、当業者に既知のスナップ式、ロック式、又は任意その他のタイプの連結手段（例えば、本体部分１１１１によって備えた受入れ部分１１２７と係合する側面部分１１１３に連結部材１１２５を組込むなど）のいずれかによって固定されるのがよい。その結果、側面部分１１１３及び本体部分１１１１は、ディスペンサを詰替えるために分離され、次に、その後に再連結される。更に、側面部分１１１３は、２つの部分を互いに取付ける前に側面部分１１１３を本体部分１１１１と共に案内し又はそれに整列させるのに更に補助する整列部材１１２８を更に含むのがよい。
【００４２】
上述したように、スロット部１１２０は、本体部分１１１１の一部として一体化され、ハウジング１１１４の外側にマルチピースパッケージ１１１２が延びることを可能にし、消費者又は売主のいずれかに容易にアクセス可能であるマルチピースパッケージ１１２の端部分１１２２を得る。スロット部１１２０の変形例の設置は、消費者の必要に応じて及び製造機能に応じて、ハウジング１１１４内において考慮されるのがよい。スロット部１１２０は、図２３〜図２５に示すように、スレッド式（孔通し取付け式）として考えられてもよいが、変形例として、スロット部１１２０は、上述の実施形態によれば、非スレッド式（孔通しなしの取付け式）とされるのがよい。
【００４３】
ディスペンサ１１１０は、変形実施形態に関連して前に説明したように、マルチピースマルチピースパッケージ１１１２をディスペンサ１１１０内に支持し且つ保持する保持部材を更に含むのがよく、様々な保持部材（図示していないが）が、スロット部１１２０内に一体にされるのがよい。図２３Ａ、図２４〜図２５に示すように、保持部材は、スロット部１１２０へのマルチピースパッケージ１１１２の移動を更に容易にする案内部材１１３１を更に含むのがよい。案内部材１１３１の変形形態は、図示していないが、例えば、マルチピースパッケージに対する案内部材１１３１の撓み、並びに望ましい量の摩擦及び案内を提供するが、内側チャンバ１１１６内でマルチピースパッケージの移動を抑制しないと考えられる発泡体又は他の関連材料の組込みを考慮する可撓性部材を更に含んでもよい。それらの要素の各々は、ディスペンサ１１１０のデザイン及び機能性に応じて本体部分１１１１又は側面部分１１１３のいずれかの内部に一体にされるのがよい。
【００４４】
別の実施形態では、ディスペンサ１１１０の保持部材は、例えば、図２４〜図２６で分かるように、引張り装置アセンブリ１１５０を更に含むのがよい。引張り装置アセンブリ１１５０は、図２５に示すように、マルチピースパッケージ１１１２がディスペンサ１１１０の内側チャンバ１１１６内に保持されること及びマルチピースパッケージがスロット部１１２０を超えて消費者が望む量だけ不注意に延びないことを確保するように構成される。引張り装置アセンブリ１１５０は、内側チャンバ１１１６内の様々な位置に配置されてもよいし、ディスペンサ１１１４内の変形形態の向きに配置されてもよいけれども、図２５に見られるように、引張り装置アセンブリ１１５０を内側チャンバ１１１６内の比較的中心の位置に位置決めして、マルチピースパッケージ１１１２のコイル巻きを最適にすることが望ましい。引張り装置アセンブリ１１５０は、外側部分１１５１と、結合部材１１５２と、固定アセンブリ１１５３を更に含むのがよい。
【００４５】
示唆したように及び実施形態によれば、より具体的には図２５に示すように、引張り装置アセンブリ１１５０は、内側チャンバ１１１６内にマルチピースパッケージ１１１２の好ましいコイル巻きを維持しながら、マルチピースパッケージ１１１２をディスペンサ１１１０に結合して固定するように設計されるのがよい。図２５及び図２６から分かるように、引張り装置アセンブリは、外側本体１１５１を含み、外側本体１１５１は、引張り装置アセンブリ１１５０の構成要素をディスペンサ１１１０に固着させ、マルチピースパッケージ１１１２を引張り装置アセンブリ１１５０全体に結合させる。更に図２７により詳細に示すように、外側本体１１５１の変形実施形態は、凸部／溝構成（すなわち、歯状部材）を底部１１５５上に更に含み、凸部／溝構成は、それに対応する本体部分１１１１の底面１１１９の部分１１５６（図２３Ａ参照）と相互連結する。引張り装置アセンブリ１１５０の外側本体１１５１の底部１１５５と上記部分１１５６の間の歯及び相対的相互作用は、ディスペンサと引張り装置アセンブリ１１５０の間の摩擦を増加させ、ハウジング１１４、特に本体部分１１１１に対する引張り装置アセンブリ１１５０の移動を更に規制する。
【００４６】
引張り装置アセンブリ１１５０は、結合部材１１５２を更に含む。図２４〜図２６に示すように、結合部材１１５２は、引張り装置アセンブリ１１５０の外側本体１１５１の一部として一体にされるのがよい。結合部材１１５２は、マルチピースパッケージ１１１２を引張り装置アセンブリ１１５０に相互連結するのに使用され、それにより、マルチピースパッケージコイルをディスペンサ１１１０の内側チャンバ１１１６内に固定する。図２５に示すように、１つの実施形態によれば、最後のブリスターＰは、結合部材１１５２内に嵌合し、従って、結合部材１１５２のデザインにより適所に保持される。変形形態を更に考えることができ、マルチピースパッケージ１１１２を引張り装置アセンブリ１１５０に結合する拡張部材１１５８及びカプラ１１６０（図２８Ａ及び図２８Ｂ参照）が使用されてもよい。例えば、図２８Ａに示す拡張部材１１５８は、接続端部１１５９を有し、接続端部１１５９は、例えば、図２７に示す引張り装置アセンブリ１１５０の外側本体１１５１内に一体にされたスロット部１１６２に結合される。外側本体１１５１のデザインに応じて、複数のスロット部１１６２が形成されてもよい。拡張部材１１５８の反対側の端部は、カプラ１１６０への接続を可能にする接続端部１１６１を有している。受入れスロット部１１６３がカプラ１１６０の一端に形成され、拡張部材１１５８の接続端部１１６１が受入れスロット部１１６３内に受入れられ、それにより、拡張部材１１５８をカプラ１１６０に固着させる。カプラ１１６０の開口部１１６４により、マルチピースパッケージ１１１２の端部がカプラ１１６０によって保持されることを可能にし、マルチピースパッケージ１１１２の最後のブリスターがレセプタクル１１６５内に保持される。結合部材１１５２の変形形態が、ディスペンサ１１１０のデザインに応じて使用されてもよい。プラスチック又はプラスチック由来の材料がこのデザインに好ましく、限定する訳ではないが、当業者に既知のプラスチック、板紙、又は他の半耐久型材料を含む様々な材料を、構成要素の各々を形成するのに使用されてもよい。
【００４７】
前に示唆したように、固定アセンブリ１１５３は、引張り装置アセンブリ１１５０の一部として更に設けられる。図２４〜図２６、特に図２６から分かるように、固定アセンブリ１１５３は、引張り装置アセンブリ１１５０を本体部分１１１１に固定する方法の一例であるが、固定アセンブリの変形形態が、本発明の範囲で考えられる。固定アセンブリ１１５３は、ディスペンサ１１１０の本体部分１１１１をマルチピースパッケージ１１１２に取付ける。１つの実施形態によれば、提供した図から分かるように、固定アセンブリ１１５３は、連結部材１１７０（例えば、ネジ）を含み、連結部材１１７０は、本体部分１１１１の底面１１１９を貫いて内側チャンバ１１１６の中に延び、引張り装置アセンブリ１１５０の外側部分１１５１の中心を貫くように設けられる。バネ又はバネ状部材１１７１が、連結部材１１７０の上に位置決めされ、固着部材１１７３（例えば、螺ナットのような）が、バネの上に位置決めされ、固定アセンブリ１１５３の構成要素の全てを相互連結して保持する。固定アセンブリ１１５３の具体的な構成要素を説明して図示したが、同様の又は同等の機能性を有する変形形態要素が、引張り装置アセンブリ１１５０をディスペンサ１１１０内に固着させるのに使用されてもよい。
【００４８】
ディスペンサ１１１０の変形形態が、ディスペンサ１１１０のハウジング１１１４の外面内に組込まれる他の機能要素を更に提供してもよい。かかる機能要素は、例えば、小売業者が、付加的な目的のためにディスペンサを使用することを可能にすると考えられる窓又は区域のようなクロック又は任意その他のタイプのディスプレイを含むが、これに限定されない。
【００４９】
本発明の別の実施形態は、図２９Ａ及び図２９Ｂに示すディスペンサ１２１０の変形形態を更に含む。従って、１つの実施形態は、ブリスターパッケージを組込む手持ち式又はパーソナル形態を更に提供する。本発明の１つの実施形態によれば、手持ち式ディスペンサ１２１０は、コイル形態のブリスターパッケージ１２１２と、消費者が単一のブリスターにアクセスし又はそれを引くことを可能にする開口部１２２０を有している。開口部１２２０は、ハウジング１２１４の一部分１２１４ａによって構成され、上記一部分１２１４ａは、ハウジング１２１４に滑込むように形成されてもよいし、ヒンジ部を用いてハウジング１２１４に連結されてもよい。手持ち式形態により、個人間の共有の増加を可能にし、それと同時に、ブリスターパッケージ内に包囲された製品の新鮮さを維持する。
【００５０】
別の実施形態では、本発明は、図３０に示すように、マルチユニットディスペンサ１３００を更に含み、個々のディスペンサ１３１０ａ、１３１０ｂ、１３１０ｃは、複数の異なるパッケージ１３１２ａ、１３１２ｂ、１３１２ｃを有するディスペンサを形成するように、互いに結合されてもよいし、一体にされてもよい。マルチユニットディスペンサを使用して、異なる形態、香味、又は任意その他の組合せのうちのいずれかを有する異なる菓子製品を取出すのに使用されるのがよい。従って、一例として、１つのディスペンサは、板ガムのためのパッケージを含み、別のディスペンサは、ペレット形態のガムを含み、付加的なディスペンサは、変形例の菓子製品を含むのがよい。変形例として、図示のように、ディスペンサの各々は、パッケージ内に異なる香味又は製品を有する異なるペレットブリスター型パッケージを含んでもよい。マルチユニットディスペンサは、個々のパッケージのための個々のスロット部を有する少なくとも１つのハウジングを含んでいてもよいし、変形例として、当業者に既知の仕方で互いに結合される複数のハウジングを有していてもよい。図３０は、互いに結合された３つの個々のディスペンサを示すが、これは例示であり、マルチユニットディスペンサの望ましい形態に応じて、異なる数のディスペンサ及びパッケージが互いに一体にされてもよい。更に、マルチユニットディスペンサは、ディスペンサの望ましい形態に応じた変形例の形状及び寸法で設けられてもよい。
【００５１】
本発明は、菓子製品のマルチピースパッケージを製造する方法を更に含む。マルチピースパッケージは、三辺シール形態を含む。従って、所定の幅及び長さを有する材料ピースが準備される。材料は、内側で菓子製品を保護するための十分なバリアを形成する任意のタイプの材料を含む。更に、材料はまた、例えば、シール可能、引裂き可能、印刷可能であり、かつ費用効率があるなどの特性を有する必要がある。その結果、材料は、限定する訳ではないが、配向ポリプロピレンフィルムの使用を含む。材料ピースは、中心線で半分に区分けされ（物理的に分割されるわけではない）、それにより、材料を２つの半部に区分けする。複数のガムピースを一方の半部の上に位置決めし、個分けガムピースの両端部の各々をフィルムの中心線に隣接して配置する。ガムピースを、フィルムの長さに沿って所定の距離だけ分離させる。ガムピースを位置決めしたら、ガムピースを有しない残りの半部を中心線で折畳み、折畳んだ半部を、フィルムの半部の上に配置し、個々のチューインガムピースを収容する。引き続いて、材料をその長さ及び幅の周りで且つ個分けガムピースの各々の間でシールし、その結果、ガムピースは、三辺でシールされる。第４の辺は、中心線の周りの材料の折畳みによって形成される。その結果、三辺シールを有する個分けガムピースを含むマルチピースパッケージが形成される。マルチピースパッケージは、次に、前に開示したディスペンサの様々な実施形態のいずれかに関連して使用されるのがよい。
【００５２】
本発明は、当業者によって認められるように一定の好ましい実施形態に関して説明したが、本発明は、多数の変更、修正、及び再配置が可能であり、このような変更、修正、及び再配置が特許請求の範囲によってカバーされることを意図していることを理解すべきである。更に、本発明の具体的な実施形態の以上の記述は、例示及び説明目的のための記述である。それらは、網羅的であること又は本発明を開示した形態通りに限定するように考えられているものでなく、様々な修正及び変形は、上記教示に照らして可能である。実施形態は、本発明及びその実際の適用原理を説明し、それによって当業者が考えている詳細な使用に適するように、本発明及び様々な修正を有する様々な実施形態を利用可能にするように選択されて説明している。本発明は、以上の本明細書でより詳細に説明しており、本発明の様々な変形及び修正は、明細書を読んで理解することから当業者には明らかになると考えられる。このような変形及び修正は、それらが特許請求の範囲にある限り本発明に含まれることを意図している。本発明の範囲は、本明細書に添付された特許請求の範囲及びそれらの均等物によって定められることを意図している。
【００５３】
全ての方向参照（例えば、上側、下側、上向き、下向き、左、右、左向き、右向き、上部、底部、上方、下方、垂直、水平、時計回り、及び反時計回り）は、本発明の読者の理解を助けるように識別目的のために使用されるに過ぎず、特に本発明の位置、向き、又は用途に関して制限するものではない。接合の言及（例えば、取付け、結合、連結等）は、広く解釈すべきであり、要素の連結及び要素間の相対移動の間に中間部材を含んでもよい。従って、接合の言及は、必ずしも２つの要素が直接に連結されて互いに固着関係にあることを意図するものではない。上記説明に含まれ又は添付の図面に示す全ての内容は、例示のみと解釈され、制限されるものではないことを意図している。詳細又は構造の変更は、特許請求の範囲に規定される本発明の範囲から逸脱することなく行うことができる。
【図１】
2013522138.tif 000003
【図２】
2013522138.tif 000004
【図３】
2013522138.tif 000005
【図４】
2013522138.tif 000006
【図５】
2013522138.tif 000007
【図６】
2013522138.tif 000008
【図７】
2013522138.tif 000009
【図８】
2013522138.tif 000010
【図９】
2013522138.tif 000011
【図１０】
2013522138.tif 000012
【図１１】
2013522138.tif 000013
【図１２】
2013522138.tif 000014
【図１３】
2013522138.tif 000015
【図１４】
2013522138.tif 000016
【図１５】
2013522138.tif 000017
【図１６】
2013522138.tif 000018
【図１７】
2013522138.tif 000019
【図１８】
2013522138.tif 000020
【図１９】
2013522138.tif 000021
【図２０】
2013522138.tif 000022
【図２１】
2013522138.tif 000023
【図２２】
2013522138.tif 000024
【図２３Ａ】
2013522138.tif 000025
【図２３Ｂ】
2013522138.tif 000026
【図２４】
2013522138.tif 000027
【図２５】
2013522138.tif 000028
【図２６】
2013522138.tif 000029
【図２７】
2013522138.tif 000030
【図２８Ａ】
2013522138.tif 000031
【図２８Ｂ】
2013522138.tif 000032
【図２９Ａ】
2013522138.tif 000033
【図２９Ｂ】
2013522138.tif 000034
【図３０】
2013522138.tif 000035
【国際調査報告】
2013522138.tif 000036
2013522138.tif 000037
2013522138.tif 000038
2013522138.tif 000039